(57)【要約】【課題】本発明は、例えば、ドレイン線付き差動伝送用コネクタに係り、ドレイン線付き差動伝送用ケーブルを当該コネクタのプリント基板に半田付けする際の、半田漬け作業の作業性を改善することが課題である。【解決手段】ドレイン線付き差動伝送用ケーブルをコネクタ用プリント基板を介して接続するためのコネクタ１であって、前記ドレイン線付き差動伝送用ケーブルにおける一対の信号線を前記プリント基板のパッド部に半田付けすると共に、ドレイン線を前記プリント基板とは別体のグランド板５に接続し、該グランド板５を介して前記プリント基板２に電気的に接続させたことである。【選択図】　図１
2004071231.tif 000002
【特許請求の範囲】
【請求項１】
ドレイン線付き差動伝送用ケーブルをコネクタ用プリント基板を介して接続するためのコネクタであって、
前記ドレイン線付き差動伝送用ケーブルにおける一対の信号線を前記プリント基板のパッド部に半田付けすると共に、ドレイン線を前記プリント基板とは別体のグランド板に接続し、該グランド板を介して前記プリント基板に電気的に接続させたこと、
を特徴とする高速伝送用コネクタ。
【請求項２】
グランド板は、高速伝送用コネクタの一部に嵌合・固定される整線ケースに設けられていること、
を特徴とする請求項１に記載の高速伝送用コネクタ。
【請求項３】
整線ケースは、ドレイン線をドレイン線付き差動伝送用ケーブルの軸線方向に沿って信号線に対して略１８０゜折り返すようにして整線する整線部が設けられていること、
を特徴とする請求項２に記載の高速伝送用コネクタ。
【請求項４】
グランド板には、ドレイン線を圧接により固定する圧接部が設けられていること、
を特徴とする請求項２に記載の高速伝送用コネクタ。
【発明の詳細な説明】
【０００１】
【発明の属する技術分野】
本発明は、高速伝送用コネクタに係り、更に詳しくは、ドレイン線付き差動伝送用ケーブルをコネクタのプリント基板に半田付けする際の、半田漬け作業の作業性を改善した高速伝送用コネクタに関する。
【０００２】
【従来の技術】
従来のドレイン線付き差動伝送用ケーブルをコネクタのプリント基板に半田付けするには、図１４に示すように、高速伝送用コネクタ１６におけるプリント基板１５の電気的接続用のパッド部１５ａに、当該複数本のケーブル１７の芯線を各々剥き出して半田付けするものである。
【０００３】
前記高速伝送用コネクタ１６は、絶縁ハウジング本体１１と、該絶縁ハウジング本体１１から前方に突出した接続部１２と、該接続部１２の上下両面において前後方向へ平行に刻設された凹溝に圧入されている信号コンタクト１３とグランドコンタクト１４と、前記絶縁ハウジング本体１１に一端部が嵌装され接続パターンが設けられているプリント基板１５とからなる。
【０００４】
また、前記ドレイン線付き差動伝送用ケーブル１７は、差動伝送用の一対の信号線１７ａ，１７ｂと、ドレイン線１７ｃと、これらを囲繞するように巻回されているアルミ箔１７ｄとからなるものである。
【０００５】
前記ケーブル１７の信号線１７ａ，１７ｂが前記プリント基板１５のパッド部１５ａに半田付けされて、プリント基板１５の接続パターンを介して前記信号コンタクト１３に信号が伝達され、更に、この信号コンタクト１３から接続された交換機等の機器に信号が伝達されるものである。
【０００６】
【発明が解決しようとする課題】
しかしながら、前記プリント基板１５のパッド部１５ａに、前記ドレイン線付き差動伝送用ケーブル１７における一対の信号線１７ａ，１７ｂと、ドレイン線１７ｃとの３本の線を半田付けするには、左右方向に併設された各パッドにそれぞれ前記３本の線を半田付けしなければならない。高密度に配線するようになると、このケーブル１７の本数が多く、且つ、パッドのピッチが狭くなって、きわめて半田付け作業が困難となる。本発明に係る高速伝送用コネクタは、このような課題を解決するために提案されたものである。
【０００７】
【課題を解決するための手段】
上記課題を解決するための、本発明に係る高速伝送用コネクタの要旨は、ドレイン線付き差動伝送用ケーブルをコネクタ用プリント基板を介して接続するためのコネクタであって、前記ドレイン線付き差動伝送用ケーブルにおける一対の信号線を前記プリント基板のパッド部に半田付けすると共に、ドレイン線を前記プリント基板とは別体のグランド板に接続し、該グランド板を介して前記プリント基板に電気的に接続させたことである。
【０００８】
また、前記グランド板は、高速伝送用コネクタの一部に嵌合・固定される整線ケースに設けられていること、：
更に、前記整線ケースは、ドレイン線をドレイン線付き差動伝送用ケーブルの軸線方向に沿って信号線に対して略１８０゜折り返すようにして整線する整線部が設けられていること、：
グランド板には、ドレイン線を圧接により固定する圧接部が設けられていることを含むものである。
【０００９】
本発明に係る高速伝送用コネクタによれば、信号線が半田付けされるプリント基板に、ドレイン線用のパッドを設ける必要が無くなり、その分だけ、信号線用のパッドのピッチを広く設定することができるようになり、半田付け作業が容易となる。また、ドレイン線付き差動伝送用ケーブルにおけるドレイン線を、グランド板にまとめて、ピッチを気にすることなく半田付けすればよいので、従来の狭いピッチのパッドに半田付けするという熟練を要する半田付け作業の困難性が、本発明により解消される。
また、整線ケースにドレイン線を略１８０折り返して、整線部に挟み込むことで整線させればよいので、前記ドレイン線の取り扱いが容易になる。更に、圧接部を設けることで、作業性が改善される。
【００１０】
【発明の実施の形態】
次に、本発明に係る高速伝送用コネクタ１について、図面を参照して説明する。なお、従来例に対応する部分には従来例と同一の符号を使用して説明する。
【００１１】
前記高速伝送用コネクタ１の構成は、図１乃至図２に示すように、絶縁ハウジング本体１１と、該絶縁ハウジング本体１１から前方に突出した接続部１２と、該接続部１２の上下両面において前後方向へ平行に刻設された凹溝に圧入されている信号コンタクト１３とグランドコンタクト１４（図４参照）と、前記絶縁ハウジング本体１１に一端部が嵌装され接続用パターンが設けられているプリント基板であるパドルカード２と、整線ケース３とから概ね構成されている。
【００１２】
前記パドルカード２には、図３に示すように、前記信号用コンタクト１３用の信号ラインのパッド２ａが、ドレイン線付き差動伝送用ケーブル（以下、単にケーブルという）１７との接続側に併設されている。かかるパッド部において、従来例ではグランド用のパッドが一緒に所要のピッチで配設されていたが、このコネクタ１のパドルカード２においては、前記信号ライン用のパッド２ａのみが配設されている。このパドルカード２は、両面基板であり、上下両面のグランド用回路は、スルーホールで架橋されて接続されている。
【００１３】
前記信号ラインのパッド２ａの左右方向の外側には、図３に示すように、グランド用パッド２ｂが配設されている。よって、多数の信号線が半田付けされる前記パッド２ａの間には配設されないで、その外側の２箇所にまとめて、前記ケーブル１７のドレイン線用の、グランド用パッド２ｂが設けられている。
【００１４】
前記整線ケース３は、図５乃至図６に示すように、整線部４ａを備えた絶縁ハウジング４と、その門型（図５（ｂ））に形成されている絶縁ハウジング４の内側に取り付けられるグランド板である、グランドプレート５とから構成されている。
【００１５】
前記整線部４ａは、図６と図７とに示すように、絶縁ハウジング４の上部において、前後方向に平行な凹溝が併設されて形成されている。前後方向の中間部は一段低い平坦部となっていて、そこには前記グランドプレート５が嵌装される場所になっている。
【００１６】
また、絶縁ハウジング４の門柱部４ｄにおいてその前方には、前記パドルカード２の係合端部２ｃを係止させる凹部状の係合部４ｂが設けられている。更に、前記門柱部４ｄの下面には、後述のケース蓋６を嵌合させて固定する為の係合孔４ｅが各々設けられている。
【００１７】
前記グランドプレート５は、図８に示すように、ドレイン線を半田付けするための平坦面のグランド部５ａと、その両端部において側壁部５ｅから前方に突設された基板係合部５ｂ，５ｃと、前記側壁部５ｅに設けられた嵌合固定用の突起部５ｄと、金型による切断工程に必要なキャリア部５ｆとからなるものである。
【００１８】
前記絶縁ハウジング４に前記グランドプレート５を嵌合させて前記整線ケース３を作るには、図５（Ｃ）に示すように、絶縁ハウジング４に対して、グランドプレートの基板係合部５ｂ，５ｃを絶縁ハウジング４の矩形状の挿通孔４ｃ（図７参照）に上方から下へ差し込む。
【００１９】
そして、図示のように前記グランドプレート５を時計方向に回転させて、前記基板係合部５ｂ，５ｃを前方側に向けて突出させ、左右端部側における側壁部５ｅの突起部５ｄを、絶縁ハウジング４の門柱部４ｄにおける内壁面に係合させて、図５（Ａ）に示すように、固定する。
【００２０】
前記整線ケース３に使用されるケース蓋６は、図９に示すように、本体部にスリット６ａが複数個併設されており、該本体部の左右両側端部から係合突起６ｂが突設されている。前記スリット６ａは、ドレイン線付き差動伝送用ケーブル１７を等間隔に整列させるための整列刃７ａ（図１０参照）を差し込むためのものである。
【００２１】
前記整列刃７ａは、図１０に示すように、整列板７の一端部からに平行に突出して設けられるものである。前記整線ケース３を使用して、ドレイン線付き差動伝送用ケーブル１７を、本発明に係る高速伝送用コネクタ１に接続する方法について説明する。
【００２２】
図１０に示すように、アルミ箔を所要長さで剥がして信号線１７ａ，１７ｂを露出させたドレイン線付き差動伝送用ケーブル１７を、ケース蓋６に下方向から差し込んだ整列板７の整列刃７ａによって、整列させる。前記ケーブル１７は、図示するように、一対の信号線１７ａ，１７ｂを上下方向に縦にして、それを横方向に列設させるものである。
【００２３】
前記ケース蓋６を絶縁ハウジング４に図示したようにした方向から嵌装させる。そして、図２に示すように、先ず、各ドレイン線１７ｃを、前記ケーブル１７の軸線方向に沿って、前記信号線１７ａ，１７ｂに対して対して略１８０゜折り返すようにして、グランドプレート５のグランド部５ａにそれぞれ半田付けする。
【００２４】
その後、前記整線ケース３を、図１乃至図２及び図１１に示すように、係合部４ｂをパドルカード２の係合端部２ｃに嵌合させて、パドルカード２に装着する。同時に、基板係合部５ｂ，５ｃを前記パドルカード２の後方から嵌合させて、グランド用パッド２ｂに挟装させる。信号線１７ａ，１７ｂは、前記パドルカード２の上下両面におけるパッド２ａに整列されて当接される。
【００２５】
前記信号線１７ａ，１７ｂと、前記基板係合部５ｂ，５ｃとを、それぞれ半田付けする。その後、前記整列板７を下に引き抜いて撤去する。こうして、前記ケーブル１７のドレイン線１７ｃは、信号線のいずれか一方、例えば、信号線１７ａの間に配設されないので、当該信号線のピッチが広く設定できて半田付け作業が容易となり、ドレイン線１７ｃも平坦面のグランド部５ａに半田付けするので容易な作業となる。
【００２６】
高速伝送用コネクタ１の他の実施例として、図１２乃至図１３に示すように、整線ケース３ａにドレイン線１７ｃを取り付けるのに、半田付け方法ではなく、圧接方法によるものとした、高速伝送用コネクタ１ａを提案するものである。
【００２７】
この他の実施例では、前記グランドプレート５において、グンランド部５ａの前方端縁部に、圧接部５ｈを上方向に立ち上げて設けて成るグランドプレート５ｇとするものである。なお、他の構成及び組み立て方法は前述の実施例と同じであるので、説明を省略する。
【００２８】
このグランドプレート５ｇにより、図１３に示すように、ドレイン線付き差動伝送用ケーブル１７を整線ケース３ａに整列させ、そのドレイン線１７ｃを折り返して前記グランドプレート５ｇに取り付けるには、前記圧接部５ｈにドレイン線１７ｃをそれぞれ差し込んで、更に、圧接蓋８を上方から押し込んで、前記ドレイン線１７ｃを圧接部５ｈに圧接する。
【００２９】
このようにすれば、半田付け作業よりも容易に、且つ、短時間で、ドレイン線１７ｃをグランドプレート５ｇに固定することができるものである。その後の作業は、前述の実施例と同様である。
【００３０】
【発明の効果】
上記説明したように、本発明に係る高速伝送用コネクタは、ドレイン線付き差動伝送用ケーブルをコネクタ用プリント基板を介して接続するためのコネクタであって、前記ドレイン線付き差動伝送用ケーブルにおける一対の信号線を前記プリント基板のパッド部に半田付けすると共に、ドレイン線を前記プリント基板とは別体のグランド板に接続し、該グランド板を介して前記プリント基板に電気的に接続させたので、信号線のピッチを広くして短絡のおそれが無く、半田付け作業が容易となって工数削減となると言う優れた効果を奏するものである。
【００３１】
また、従来では信号線とドレイン線との半田付け用パッドが狭小ピッチであると、半田付け作業のためにアルミ箔を長く剥がして、各芯線の可撓性を良くして田付け作業をやり易くなるようにしていたが、本発明により、ドレイン線が反対方向に折り返柄されて、信号線の半田付け作業を邪魔しないので、ケーブルにおいて、シールド用のアルミ箔の剥がす部分を短くできる。よって、ドレイン線付き差動伝送用ケーブルの伝送特性を良好な状態に維持できると言う優れた効果を奏するものである。
【００３２】
前記グランド板は、高速伝送用コネクタの一部に嵌合・固定される整線ケースに設けられているので、半田付け作業の作業性が改善される。また、前記整線ケースは、ドレイン線をドレイン線付き差動伝送用ケーブルの軸線方向に沿って信号線に対して略１８０゜折り返すようにして整線する整線部が設けられているので、信号線の半田付け作業が容易となると言う優れた効果を奏するものである。また、グランド板には、ドレイン線を圧接により固定する圧接部が設けられているので、ドレイン線の取り付け作業が容易となると言う優れた効果を奏するものである。
【図面の簡単な説明】
【図１】本発明に係る高速伝送用コネクタの組立の様子を示す平面図である。
【図２】同本発明に係る高速伝送用コネクタの、ケーブルを半田付けする様子を示す説明図である。
【図３】同本発明に係る高速伝送用コネクタの一部平面図（Ａ）、と側面図（Ｂ）である。
【図４】図３（Ｂ）におけるＡ−Ａ線に沿った断面図（Ａ）と、Ｂ−Ｂ線に沿った断面図（Ｂ）である。
【図５】高速伝送用コネクタ１における、整線ケース４の側面図（Ａ），正面図（Ｂ），組立説明図（Ｃ）である。
【図６】高速伝送用コネクタ１における、絶縁ハウジングの、平面図（Ａ），正面図（Ｂ），底面図（Ｃ），背面図（Ｄ）である。図である。
【図７】図６（Ａ）におけるＣ−Ｃ線に沿った断面図（Ａ）と、同Ｄ−Ｄ線に沿った断面図（Ｂ）と、同Ｅ−Ｅ線に沿った断面図（Ｃ）である。
【図８】本発明に係る高速伝送用コネクタにおける、グランド板であるグランドプレートの平面図（Ａ）、正面図（Ｂ）、側面図（Ｃ）である。
【図９】ケース蓋の平面図（Ａ）と、正面図（Ｂ）と、側面図（Ｃ）と、底面図（Ｄ）とである。
【図１０】整線ケースにドレイン線付き差動伝送用ケーブルを整列させる状態を示す説明図である。
【図１１】高速伝送用コネクタにおける、パドルカードに整線ケースを取り付ける様子を説明する説明図である。
【図１２】他の実施例における、グランドプレートの平面図（Ａ）と、正面図（Ｂ）と、側面図（Ｃ）とである。
【図１３】同他の実施例における、パドルカードに整線ケースを取り付ける様子を説明する説明図である。
【図１４】従来例に係る、高速伝送用コネクタの平面図（Ａ）と、ケーブルを半田付けする様子を説明する説明図（Ｂ）である。
【符号の説明】
１　　　高速伝送用コネクタ、　　　　　　　　２　　パドルカード、
２ａ　　信号線用パッド、　　　　　　　　　　２ｂ　グランド用パッド、
２ｃ　　係合端部、
３，３ａ　　整線ケース、　　　　　　　　　　　　　　　　　　　　４　　絶縁ハウジング、
４ａ　　整線部、　　　　　　　　　　　　　　４ｂ　係合部、
４ｃ　　挿通孔、　　　　　　　　　　　　　　４ｄ　門柱部、
４ｅ　　係合孔、
５　　　グランドプレート、　　　　　　　　　５ａ　グランド部、
５ｂ，５ｃ　基板係合部、　　　　　　　　　　５ｄ　突起部、
５ｅ　　　　側壁部、　　　　　　　　　　　　　　５ｆ　キャリア部、
５ｇ　　他の実施例のグランドプレート、　　　５ｈ　圧接部、
６　　　ケース蓋、　　　　　　　　　　　　　６ａ　スリット、
６ｂ　　係合突起、　　　　　　　　　　　　　７　　整列板、
７ａ　　整列刃、　　　　　　　　　　　　　　８　　圧接蓋、
１１　　絶縁ハウジング本体、　　　　　　　　１２　接続部、
１３　　信号コンタクト、　　　　　　　　　　１４　グランドコンタクト、
１５　　プリント基板、　　　　　　　　　　　１５ａ　　パッド部、
１６　　高速伝送用コネクタ、
１７　　ドレイン線付き差動伝送用ケーブル、
１７ａ　信号線、　　　　　　　　　　　　　　１７ｂ　　信号線、
１７ｃ　ドレイン線、　　　　　　　　　　　　１７ｄ　　アルミ箔。
【図１】
2004071231.tif 000003
【図２】
2004071231.tif 000004
【図３】
2004071231.tif 000005
【図４】
2004071231.tif 000006
【図５】
2004071231.tif 000007
【図６】
2004071231.tif 000008
【図７】
2004071231.tif 000009
【図８】
2004071231.tif 000010
【図９】
2004071231.tif 000011
【図１０】
2004071231.tif 000012
【図１１】
2004071231.tif 000013
【図１２】
2004071231.tif 000014
【図１３】
2004071231.tif 000015
【図１４】
2004071231.tif 000016